(57)【要約】      （修正有）【課題】複数部の新聞紙を収容して持ち運び、該新聞紙を歩き回りながら配達する場合に、降雨又は降雪時、さらには横風を伴う悪天候時であっても新聞紙を雨に濡らすことなく手早く配達できる新聞配達用バッグを提供する。【解決手段】体側に位置する第１シート２と、該第１シート２の外側に位置する第２シート３とからなる対向する一対の方形状のシートを備え、該シート間に新聞紙４を収容して保持する収容部１が形成されるようにシートの下辺同士を接合又は連設し、上記シートの上辺側に肩掛けベルトを連結して設け、シート間の少なくとも前辺側を非接合の新聞出し入れ用の前方開口部６とした新聞配達用バッグであって、両シートの後辺同士を接合又は連接し、一方のシートの前辺を前方に延設し、該延設した部分を後方に折返すことにより、前方開口部６を塞ぐ前カバー９を設けた。【選択図】図１
0003174604.tif 000002
【実用新案登録請求の範囲】
【請求項１】
体側に位置する第１シート（２）と、該第１シート（２）の外側に位置する第２シート（３）とからなる対向する一対の方形状のシートを備え、該シート間に新聞紙（４）を収容して保持する収容部（１）が形成されるようにシートの下辺同士を接合又は連設し、上記シートの上辺側に肩掛けベルト（１６）を連結して設け、シート間の少なくとも前辺側を非接合の新聞出し入れ用の前方開口部（６）とした新聞配達用バッグであって、両シートの後辺同士を接合又は連接し、一方のシートの前辺を前方に延設し、該延設した部分を後方に折返すことにより、前方開口部（６）を塞ぐ前カバー（９）を設けた新聞配達用バッグ。
【請求項２】
一対のシート（２，３）の上辺側の一部又は全部を非接合の新聞出し入れ用の上方開口部（７）とし、一方のシートの上辺を上方に延設して下向きに折返すことにより上方開口部（７）を覆う上カバー（８）を設けてなる請求項１に記載の新聞配達用バッグ。
【請求項３】
一対のシート（２，３）の一方側に前記前カバー（９）を形成するとともに、他方側に上カバー（８）を形成した請求項２に記載の新聞配達用バッグ。
【請求項４】
前記上カバー（８）及び前カバー（９）は、対向する側のシートの外周面と重なるように折り曲げることにより、各開口部（６，７）を塞ぐように構成された請求項２又は３の何れかに記載の新聞配達用バッグ。
【請求項５】
前記上カバー（８）の上端側と、対向するシートの外周面とに、互いが係脱自在な一対の係合部材（２１）を設け、上カバー（８）を折り曲げて上方開口部（７）を塞いだ状態を保持できる請求項２乃至４の何れかに記載の新聞配達用バッグ。
【請求項６】
前記係合部材（２１）を前後方向前寄りに配置した請求項５に記載の新聞配達用バッグ。
【請求項７】
前記前カバー（９）を折り曲げる際の折り目は、対向する側のシートにも形成され、前カバー（９）と同時に対向する側のシートも折り曲げることにより、前方開口部（６）を塞ぐように構成された請求項３乃至６の何れかに記載の新聞配達用バッグ。
【請求項８】
前記第２シート（３）、上カバー（８）、前カバー（９）の内側にこれらの開閉をスムーズに行わせる補強部材（３Ａ，８Ａ，９Ａ）を内装した請求項２乃至７の何れかに記載の新聞配達用バッグ。
【請求項９】
一対のシートの対向面側に、収容された新聞紙（４）の前端側に係止して新聞紙（４）の収容状態を保持する保持バンド（１３）を設けた請求項１乃至８の何れかに記載の新聞配達用バッグ。
【請求項１０】
前記肩掛けベルト（１６）に、配達者の前方を照射するライト（２４）を取付けた請求項１乃至９の何れかに記載の新聞配達用バッグ。
【請求項１１】
前記第１シート（２）又は第２シート（３）の何れかの外周面にタオルその他の備品を収容するポケット（１９）を設けた請求項１乃至１０の何れかに記載の新聞配達用バッグ。
【考案の詳細な説明】
【技術分野】
【０００１】
本考案は、新聞配達をする際に使用する新聞配達用バッグに関する。
【背景技術】
【０００２】
従来、玄関先までバイクや自転車に乗って配達することのできないような入り組んだ住宅街やマンションに新聞を配達する場合、バイク等から二つ折りした新聞紙を必要な部数だけシートに挟むようにして保持し、肩掛けベルトを介して吊るすようにして持ち運ぶ特許文献１に記載の新聞配達用バッグが公知となっている。
【先行技術文献】
【特許文献】
【０００３】
【特許文献１】特許第３７８２４３７号公報
【考案の概要】
【考案が解決しようとする課題】
【０００４】
上記文献の新聞配達用バッグは、バイクや自転車に積まれた新聞紙をバッグに詰め替えて手作業で配達するにあたり、シートに積み重ねた新聞紙を挟むように保持し、新聞紙の束を容易に持ち運ぶことができるとともに、シートの前後端に設けた切り落とし部により配達作業の際に容易に新聞紙を取出すことができる。しかし、特許文献１の技術は、特に雨天時に配達作業を行う場合、シートに収容された新聞紙の上方及び前後方向が開放されているため、新聞紙が雨に濡れ易いという課題があった。
【０００５】
本考案は、複数部の新聞紙を収容して持ち運び、該新聞紙を歩き回りながら配達する場合に、降雨又は降雪時、さらには横風を伴う悪天候時であっても新聞紙を雨に濡らすことなく手早く配達できる新聞配達用バッグを提供することを課題としている。
【課題を解決するための手段】
【０００６】
上記課題を解決するために本考案は、第１に、体側に位置する第１シート２と、該第１シート２の外側に位置する第２シート３とからなる対向する一対の方形状のシートを備え、該シート間に新聞紙４を収容して保持する収容部１が形成されるようにシートの下辺同士を接合又は連設し、上記シートの上辺側に肩掛けベルト１６を連結して設け、シート間の少なくとも前辺側を非接合の新聞出し入れ用の前方開口部６とした新聞配達用バッグであって、両シートの後辺同士を接合又は連接し、一方のシートの前辺を前方に延設し、該延設した部分を後方に折返すことにより、前方開口部６を塞ぐ前カバー９を設けたことを特徴としている。
【０００７】
第２に、一対のシート２，３の上辺側の一部又は全部を非接合の新聞出し入れ用の上方開口部７とし、一方のシートの上辺を上方に延設して下向きに折返すことにより上方開口部７を覆う上カバー８を設けたことを特徴としている。
【０００８】
第３に、一対のシート２，３の一方側に前記前カバー９を形成するとともに、他方側に上カバー８を形成したことを特徴としている。
【０００９】
第４に、前記上カバー８及び前カバー９は、対向する側のシートの外周面と重なるように折り曲げることにより、各開口部６，７を塞ぐように構成されたことを特徴としている。
【００１０】
第５に、前記上カバー８の上端側と、対向するシートの外周面とに、互いが係脱自在な一対の係合部材２１を設け、上カバー８を折り曲げて上方開口部７を塞いだ状態を保持できることを特徴としている。
【００１１】
第６に、前記係合部材２１を前後方向前寄りに配置したことを特徴としている。
【００１２】
第７に、前記前カバー９を折り曲げる際の折り目は、対向する側のシートにも形成され、前カバー９と同時に対向する側のシートも折り曲げることにより、前方開口部６を塞ぐように構成されたことを特徴としている。
【００１３】
第８に、前記第２シート３、上カバー８、前カバー９の内側にこれらの開閉をスムーズに行わせる補強部材３Ａ，８Ａ，９Ａを内装したことを特徴としている。
【００１４】
第９に、シートの内周面に、収容された新聞紙４の前端側に係止して新聞紙４の収容状態を保持する保持バンド１３を設けたことを特徴としている。
【００１５】
第１０に、前記肩掛けベルト１６に、配達者の前方を照射するライト２４を取付けたことを特徴としている。
【００１６】
第１１に、前記第１シート２又は第２シート３の何れかの外周面にタオルその他の備品を収容するポケット１９を設けたことを特徴としている。
【考案の効果】
【００１７】
上記構成によれば、少なくとも収容部の前辺に新聞を出し入れする前方開口部を形成し、一方のシートの前辺を前方へ延設して設けた前カバーを、後方側に折返して畳むことにより前方開口部を開閉できるように構成されるため、配達移動時は前カバーで前方開口部を覆うことにより新聞を雨水や雪から守り、配達者が配布時は前カバーを手で開いて前方開口部から新聞紙を取出すことにより、降雨・降雪されには横風を伴う悪天候時であっても新聞紙を極力濡らすことなく配達作業を行うことができる。
【００１８】
さらに、一対のシートの上辺側の一部又は全部を非接合の新聞出し入れ用の上方開口部とし、一方のシートの上辺を上方に延設して下向きに折返すことにより上方開口部を覆う上カバーを設けることにより、収容部の前方及び上方を開状態にすることができるため、容易に新聞紙を収容部へ入れることができるほか、上記同様に上カバーによる水濡れ防止が可能となる。
【００１９】
一対のシートの一方側に前記前カバーを形成するとともに、他方側に上カバーを形成したことにより、前カバー及び上カバーの折り曲げ先が互いに異なるシートとなるため、折り畳み状態を保持する保持具の設置スペースに余裕ができ、各カバーの折り畳み姿勢が安定する。
【００２０】
また、前記上カバー及び前カバーは、対向する側のシートの外周面と重なるように折り曲げることにより、各開口部を塞ぐように構成され、上カバー及び前カバーの折り曲げを容易に行うことができるとともに、上カバー及び前カバーが折り畳まれた姿勢がより安定する。
【００２１】
前記上カバーの上端側と、対向するシートの外周面とに、互いが係脱自在な一対の係合部材を設け、上カバーを折り曲げて上方開口部を塞いだ状態を保持できるとともに、前記係合部材を前後方向前寄りに配置したことにより、上カバーを折り畳んだ状態を容易に保持することができるとともに、前方開口部に近い位置で係合部の係脱操作を行うことができるため、上カバーの係脱操作がし易い。
【００２２】
前記前カバーを折り曲げる際の折り目は、対向する側のシートにも形成され、前カバーと同時に対向する側のシートも折り曲げることにより、前方開口部を塞ぐように構成され、収容部の前方開口部の上端側と、上方開口部の前端側との境目を閉じることができ、収容部に収容された新聞紙が雨に濡れることをより確実に防ぐことができる。
【００２３】
前記第２シート、前カバー、上カバー内にこれらの開閉をスムーズに行わせる補強部材を内装したことにより、補強部材が内装された部分のシートやカバー形状が安定するため、第２シート、前カバー、上カバーの開閉をより効率的に行うことができるとともに、各部の密閉性及び収容部の耐久性も向上する。
【００２４】
シートの内周面に、収容された新聞紙の前端側に係止して新聞紙の収容状態を保持するする保持バンドを設けたことにより、収容部に新聞紙を収容して前カバーを開いた状態において、収容部が前に傾いた場合であっても、新聞紙が前方開口部等から落ちることを防止できる。また、この保持バンドに配達予定の一定数の新聞を係止させることにより、配達洩れを防止することができる。
【００２５】
前記肩掛けベルトに、配達者の前方を照射するランプを取付けたことにより、配達者が肩掛けベルトを肩に掛けて収容部を保持している状態で収容部の前方開口部及び上方開口部の周辺を照らすことができるため、新聞の取出しや新聞受けへの投入等、早朝の暗い中での作業性がより向上する。
【００２６】
なお、前記第１シート又は第２シートの何れかの外周面にタオルその他の備品を収容するポケットを設けたことにより、タオルを常備することができるため、雨天時の配達の場合に、即座に収容部や新聞紙又は手を拭くことができ、極力新聞紙を濡らすことなく効率良く配達することができる。
【図面の簡単な説明】
【００２７】
【図１】収容部の使用態様を示すバッグの全体斜視図である。
【図２】（Ａ）は、シート材の構成を示す展開図であり、（Ｂ）は、シート材を２つ折りに重ね合わせてなるシートの展開状態とシート内の補強プレート内挿位置を示した図である。
【図３】上カバーと前カバーを開いた状態のバッグの背面図である。
【図４】バッグの上カバーと前カバーを共に折り畳んだ状態の使用態様を示す正面図である。
【図５】新聞保護シートの使用態様を示した図である。
【考案を実施するための形態】
【００２８】
以下、図示する例に基づき本考案の実施形態について説明する。
図１は、収容部の使用態様を示すバッグの全体斜視図である。図１より、新聞配達用バッグは、配達者が左肩に掛けて保持した際に、配達者の身体側に配置される方形状の第１シート２と、該第１シート２と向い合うようにしてその外側に配置された第２シート３とにより形成されてバッグの収容部１を形成している。
【００２９】
前記収容部１は、第１シート２及び第２シート３の下辺側同士と、後端側同士とがそれぞれ連設されることにより、一対のシートの向い合うスペースに所定量の新聞紙が収容できるように形成されている。また、第１シート２及び第２シート３が連設されていない収容部１の上辺側及び前辺側には、それぞれ新聞紙４が出し入れ可能な上方開口部７と前方開口部６とが形成されている。
【００３０】
前記第１シート２は、第２シート３と比較して上端側を上方に向けて延設することにより上カバー８が形成されており、該上カバー８は、第２シート３の外周面側に向けて下方に折返して畳み重ねることにより、前記上方開口部７を覆って閉じることができる。
【００３１】
前記第２シート３は、前端側を前方に向けて所定の幅で延設することにより前カバー９が形成されており、該前カバー９はその延設された突出端を、第１シート２の配達者の体と接触する側に重なり合うように後向きに折返して畳み掛けることにより、前方開口部６を開閉可能に塞ぐことができる。
【００３２】
前記収容部１は、上方開口部７及び前方開口部６を開くことにより、収容部１への二つ折の新聞紙４の収納作業が容易になる開状態にできるとともに（図１参照）、上カバー８及び前カバー９の何れも折り畳むことにより上方開口部７及び前方開口部６を閉じて新聞紙４を収納部１内に収納する収納状態にすることができる。
【００３３】
また、前記上カバー８と第１シート２との間の折り目には、図１に示されるように、棒状の補強ロッド１１が内挿されている。詳しくは、折り曲げられる上カバー８の折り目に沿って補強ロッド１１を配置し、該補強ロッド１１の上から取付布１２を被せて補強ロッド１１の周囲に沿って取付布１２を第１シート２側に縫いつけ又は接着固定することにより、補強ロッド１１をシート断面内に内挿している。このとき、該補強ロッド１１は第１シート２の後端側から前カバー９を折り曲げる際の折り目までの間を補強するように構成されている。
【００３４】
さらに、第１シート２には、第２シート３と向い合う側の面に、収容部１に収容された新聞紙４を固定・保持するための保持バンド１３が設けられている。具体的には、保持バンド１３の両端側は、一端側が前記補強ロッド１１による補強箇所の中途部に取付けられ、他端側が第１シート２の前端部の上下方向中途部に取付けられている。該保持バンド１３は、収容部１に収容された新聞紙４の前端上側コーナーを第１シートの内側に向って押えながら係止することにより、収容された新聞紙４が上方開口部７又は前方開口部６から落ちないように構成されている。また、この保持バンド１３により、数量の明らかな配達予定数の新聞を取出し手前側に係止して保持しておくことにより、配達洩れを防止できるという効果がある。
【００３５】
なお、身体側の第１シート２に対して収容部１内側を開閉する第２シート３と、前記上方開口部７を開閉する上カバー８と、前方開口部６を開閉する前カバー９とには、それぞれシート内側に補強用の補強プレート３ａ，８ａ，９ａ（補強部材）が介挿されている。以下、図２に基づき、補強プレートの設置について説明する。
【００３６】
図２（Ａ）は、シート材の構成を示す展開図であり、図２（Ｂ）は、シート材を２つ折りに重ね合わせてなるシートの展開状態とシート内の補強プレート内挿位置を示した図である。図２より、前記収容部１を形成する第１シート２及び第２シート３とは、所定の形状に裁断した防水性の高い一枚のシート１０を二つ折りにして周囲を縫合わせることにより形成されている。このとき、一枚のシート１０を二つ折にした際に第２シート３の全体と、上カバー８の全体と、前カバー９の前端部分とに相当する箇所に各補強プレート３ａ，８ａ，９ａを挟んで配置し、該状態で補強プレートの周囲をシート側に縫合わせることにより二つ折りしたシート１０の内側に補強プレート３ａ，８ａ，９ａを設けている。なお、該補強シートは、本実施例では約２ｍｍの厚発泡ウレタン性のシートで形成されており、シートとともに縫うことができるものが好ましい。
【００３７】
上記補強プレート３ａ，８ａ，９ａが内装された収容部１は、さらに中央で折り畳まれるとともに、第１シート２及び第２シート３の後辺同士を縫い合わせて接合することにより、図１に示されるような、第１シート２と第２シート３とが対向し、その間に新聞紙４が収納可能な収容部１が形成される。このとき、該収容部１の下辺側となる第１シート２と第２シート３との間には、図示しない方形状の当て布が縫いつけられることにより、新聞紙４の重量が最もかかる収容部１の下端側が補強されている。上記により、本実施例では、収容部１の下辺は一体形成される一方で、収容部１の後辺は接合されている。
【００３８】
図３は、上カバーと前カバーを開いた状態のバッグの背面図であり、図４は、バッグの上カバーと前カバーを共に折り畳んだ状態の使用態様を示す正面図である。図３及び図４より、上カバー８及び第１シート２との間の補強ロッド１１が設けられた箇所の逆面側であって、上カバー８を第２シート３側に折り畳んで上方開口部７を閉じた際に収容部１の上面側となる箇所には、帯状の取手１４が取付けられている。該取手１４は、取手１４の両端側がそれぞれ補強ロッド１１による補強箇所に縫いつけられることにより前後方向略中央側に取付けられている。これにより、収容部１は、肩掛けベルト１６を用いない場合であっても、取手１４を用いることにより収容部１を容易に持ち運ぶことができるとともに、該取手１４の取付け強度も向上する。
【００３９】
また、収納状態時に収容部１の上面側を形成する補強ロッド１１による補強箇所の前後端側は、肩掛けベルト１６の両端側に備えたフック１７，１７と係合する三角形状の係合リング１８，１８がそれぞれ縫い付けて取付けられている。これにより、配達者が本実施例の収納部１に相当数の新聞紙を収納した状態で肩掛けベルト１６を肩に掛けて持ち運ぶ場合であっても、多くの新聞をより安定した状態で持ち運ぶことができる。
【００４０】
前記肩掛けベルト１６は、図４に示されるように、配達者の肩に掛ける部分に設けた保護部材２３に、収容部１の前側周辺を照らすようにＬＥＤ等のライト２４が取付けられている。該ライト２４は後端側に備えた操作スイッチ２６を押し操作することにより、ＯＮ・ＯＦＦ操作される。これにより、新聞配達を行う早朝の薄暗い中であっても、両手を空けたままで、開状態の収容部１内側や、配達姿勢時の収容部１前側等を照射できるため、新聞配達の作業性が向上し、事故防止にもなる。
【００４１】
また、第１シート２の背面側は、方形状の布が前後辺の一部を開放した状態で、第１シート側に縫いつけられることにより、タオル等の小物が収納できるタオルポケット（ポケット）１９が形成されている（図３参照）。図示する例では、タオルポケット１９の前後どちらかもタオルの出入れが出来るとともに、ポケットの前後辺の下端側から中途部まで（下から３分の１程度）が第１シート側に縫いつけられることにより、ポケットに収容したタオル等が落下し難い構成となる。これにより、タオルポケット１９側は、配達者が肩掛けベルト１６を肩に掛けて収容部１を保持した際に、配達者に密着する側の面に形成されるため、該タオルポケット１９に収納されたタオルは雨天時であっても濡れ難い状態となるとともに、該タオルポケット１９に収納したタオルにより適宜収容部１や上カバー８等を拭くことができるため、雨天時の配達作業時に極力新聞紙を濡らすことなく配達作業を行うことができる。
【００４２】
以下、図１乃至４に基づき、折り畳まれた上カバー８及び前カバー９を固定・保持する構成について説明する。前記上カバー８は、上カバー８の上端側に取付けられた雄部材２１Ａと、第２シート３の外面側に取付けられた雌部材２１Ｂとからなるバックル（係合部材）２１によって、折り畳み姿勢の保持と、保持解除とが行われる（図４参照）。すなわち、上カバー８を第２シート３外周面側に向けて折り畳むとともに、上記バックル２１の雄部材２１Ａと雌部材２１Ｂとを係合させることにより、上方開口部７を閉じた状態である上カバー８の折り畳み姿勢を保持することができる。これにより、バックル２１の係合を解除しない限り上カバー８は開かない構成となるため、不測に上カバー８が開くことがない。
【００４３】
また、該バックル２１は、前方開口部側６に近い、前後方向前寄りに配置されているため、肩掛けベルト１６を介して収容部１を保持した状態でのバックル２１の係脱操作がし易い構成となっている。さらに、前記上カバー８には前記補強プレート８ａが介挿されているため、上カバー８を第２シート３の外周面側に折り畳んで上方開口部７を閉じるにあたり、補強プレート８ａが内装された箇所を保持しながら折り曲げを行うことにより、上カバー８の折り曲げ作業がより容易となる。
【００４４】
前記前カバー９を折り畳む際の折り目は、第１シート２及び上カバー８の前側にもが形成されており（図３に示した折り目Ａ）、該前カバー９は、第１シート２及び上カバー８も同時に第１シート２の外面側へ向けて折り畳むように構成されている。
【００４５】
また、前記前カバー９は、前カバー９の前端側に設けた方形状のフック面２２Ａと、第１シート２の外面側であって、前記タオルポケット１９の前方側に配置されたフック面２２Ａよりも一回り大きいループ面２２Ｂとから構成される面ファスナー２２により、前カバー９の折り畳み姿勢の保持と、保持解除とが行われる（図３参照）。すなわち、前カバー９を折り曲げた状態で前カバー９側のフック面２２Ａをループ面２２Ｂ側に押付けて貼り付けることにより前方開口部６を閉じた状態を保持することができるとともに、フック面２２Ａとループ面２２Ｂとの固定を引き離すことにより、該保持状態を解除できるため、前方開口部６の開閉が容易にできる。
【００４６】
さらに、前記前カバー９の前端側には前記補強プレート９ａが内装されているため、前カバー９前端部の一部のみを把持した状態であっても前カバー９を容易に折り畳んで面ファスナー２２で固定できるとともに、前カバー９の前端側に設けたフック面２２Ａと第１シート２の背面側に設けたループ面２２Ｂとの接着性も向上する。
【００４７】
上述の構成により、収納部１は、肩掛けベルト１６を肩に掛けることにより両手を塞ぐことなく持ち運ぶことができ、該状態のまま上方開口部７及び前方開口部６を開放して収容部１内に新聞紙を容易に複数部入れることができる（図１参照）。また、上カバー８及び前カバー９をそれぞれ折り曲げることにより、上方開口部７及び前方開口部６を閉じて収納部１内に収納した新聞紙４を雨天時であっても雨に濡らすことなく持ち運ぶことができる。
【００４８】
このとき、前記第２シート３の内部に補強プレート３ａを設けたことにより、前記収納状態時に第１シート２側を肩掛けベルト１６で吊下げた状態で第２シート３を開閉するにあたり、第２シート３が補強プレート３ａにより必要以上に垂下らないため、収容作業をより容易に行うことができる。
【００４９】
上記により持ち運ばれた新聞紙４は、面ファスナー２２を剥がして前カバー９のみを開放することにより、前方開口部６から収容部１内の新聞紙４を抜き取り、各ポストに配達することができる（図４参照）。これにより、配達者は、収容部１の上方側は閉じた状態のままで、新聞紙４を雨に濡らすことなく配達することができる。
【００５０】
なお、前記収容部１は、上方開口部７及び上カバー８が省略された筒状に形成しても良い（図示しない）。当該構成によれば、前方開口部６から新聞紙４の出し入れを行うことにより、雨天時であっても新聞紙４を濡らすことなく配達することができるとともに、収容部１の構成をよりシンプルにすることができる。
【００５１】
次に、図５に基づき、本考案の別実施例について、上述の点と異なる点を説明する。図５は、新聞保護シートの使用態様を示した図である。図５より、新聞保護シート３１は、二つ折りの新聞を包む方形状のシートであって、該新聞保護シート３２には、一方側の面の長手方向一端側に設けられた左右一対のフック部３２Ａと、他方側の面の長手方向他端側から中央付近まで延設された一対のループ部３２Ｂとから構成された面ファスナ３２が設けられている。
【００５２】
当該構成の新聞保護シート３１は、フック部３２Ｂを設けた面のシート中央側に新聞紙を載置し、その後、ループ部３２Ｂを設けた側の面がシート上の新聞紙の上方に来るように折り畳む（図５参照）。該状態から、フック部３２Ａ側のシート端部を折り畳むことにより、フック部３２Ａを新聞紙上に配置されたシート上のループ部３２Ｂに貼り付ける。これにより、新聞保護シート３１は、新聞紙を包んだ状態を面ファスナー３２により保持できる。
【００５３】
上記により新聞保護シート３１に包まれた新聞紙を、前記バッグの収容部１に収容することによって、新聞紙をより確実に雨風で濡れることを防止できる。また、あらかじめ配達エリア毎に必要な部数を新聞保護シート３１に包んでおき、各配達エリアに到着した際に、新聞保護シート３１ごとバッグの収容部１に収容して配達を行うことにより、配達洩れもより効率的に防止することができる。さらに、配達エリアが狭く、天候も悪くない場合等においては、新聞紙を包んだ新聞保護シート３１のみを持ち運んで配達作業を行うこともできる。
【符号の説明】
【００５４】
１  収容部
２  第１シート
３  第２シート
３ａ  補強プレート（補強部材）
６  前方開口部
７  上方開口部
８  上カバー
８ａ  補強プレート（補強部材）
９  前カバー
９ａ  補強プレート（補強部材）
１３  保持バンド
１６  肩掛けベルト
１９  タオルポケット（ポケット）
２１  バックル（係合部材）
２４  ライト
【図１】
0003174604.tif 000003
【図２】
0003174604.tif 000004
【図３】
0003174604.tif 000005
【図４】
0003174604.tif 000006
【図５】
0003174604.tif 000007